(57)【要約】  本発明は、無線ネットワークを調整するか否かをユーザに丁寧に注意させ、ユーザの意向に応じて無線ネットワークを調整するか否かを決定するための無線ネットワーク調整方法、無線ネットワーク調整装置、プログラム及び記憶媒体に関する。当該無線ネットワーク方法は、無線ネットワーク状態が無線ネットワーク調整条件を満たすか否かをモニタリングするステップと、上記無線ネットワーク状態が上記無線ネットワーク調整条件を満たす場合、無線ネットワークの調整に同意するか否かを問い合わせるための調整プロンプトを無線端末に送信するステップと、上記無線端末から返信した調整許可指令を受信すると、無線ネットワークを調整するステップと、上記無線端末から返信した調整拒否指令を受信すると、現在の無線ネットワークに維持するステップとを含む。当該技術方策は、無線ネットワークを調整するか否かをユーザに丁寧に注意させ、ユーザの意向に応じて無線ネットワークを調整するか否かを決定し、ユーザの使用体験を向上させることができる。【選択図】図１
2016535551.tif 000002
【特許請求の範囲】
【請求項１】
無線ルータに用いられる無線ネットワーク調整方法において、
無線ネットワーク状態が無線ネットワーク調整条件を満たすか否かをモニタリングするステップと、
上記無線ネットワーク状態が上記無線ネットワーク調整条件を満たす場合、無線ネットワークの調整に同意するか否かを問い合わせるための調整プロンプトを無線端末に送信するステップと、
上記無線端末から返信した調整許可指令を受信すると、無線ネットワークを調整するステップと、
上記無線端末から返信した調整拒否指令を受信すると、現在の無線ネットワークを維持するステップと、
を含むことを特徴とする無線ネットワーク調整方法。
【請求項２】
上記無線ネットワーク調整条件は、
現在使用中の無線ネットワークのチャネル品質が所定チャネル品質より低いこと、または、
モニタリングした無線端末の信号強度が所定信号強度より低いこと、または、
モニタリングしたネットワーク発信信号強度が所在空間に必要な最小のネットワーク発信信号強度より大きいこと、
を含むことを特徴とする請求項１に記載の無線ネットワーク調整方法。
【請求項３】
現在使用中の無線ネットワークのチャネル品質が所定チャネル品質より低いことを上記無線ネットワーク調整条件とする場合、上記無線端末から返信した調整許可指令を受信すると、無線ネットワークを調整するステップは、
上記無線端末から返信した調整許可指令を受信すると、現在使用中の第１チャネルを第２チャネルに切替え、無線ネットワークの接続を新たに確立するステップ
を含むことを特徴とする請求項２に記載の無線ネットワーク調整方法。
【請求項４】
モニタリングした無線端末の信号強度が所定信号強度より低いことを上記無線ネットワーク調整条件とする場合、上記無線端末から返信した調整許可指令を受信すると、無線ネットワークを調整するステップは、
上記無線端末から返信した調整許可指令を受信すると、ネットワーク発信信号強度を所定値まで高く調整するステップ
を含むことを特徴とする請求項２に記載の無線ネットワーク調整方法。
【請求項５】
モニタリングしたネットワーク発信信号強度が所在空間に必要な最小のネットワーク発信信号強度より大きいことを上記無線ネットワーク調整条件とする場合、上記無線端末から返信した調整許可指令を受信すると、無線ネットワークを調整するステップは、
上記無線端末から返信した調整許可指令を受信すると、ネットワーク発信信号強度が上記最小のネットワーク発信信号強度以上であることを保証するようにネットワーク発信信号強度を低く調整するステップ
を含むことを特徴とする請求項２に記載の無線ネットワーク調整方法。
【請求項６】
上記調整プロンプトは、さらに、無線ネットワーク状態情報及び／又は調整結果情報を含むことを特徴とする請求項１〜５のいずれか一項に記載の無線ネットワーク調整方法。
【請求項７】
無線ネットワーク状態が無線ネットワーク調整条件を満たすか否かをモニタリングするためのモニタリングモジュールと、
上記無線ネットワーク状態が上記無線ネットワーク調整条件を満たす場合、無線ネットワークの調整に同意するか否かを問い合わせるための調整プロンプトを無線端末に送信するための通知モジュールと、
上記無線端末から返信した調整許可指令を受信すると、無線ネットワークを調整するための調整モジュールと、
上記無線端末から返信した調整拒否指令を受信すると、現在の無線ネットワークを維持するための維持モジュールと
を含むことを特徴とする無線ネットワーク調整装置。
【請求項８】
上記調整モジュールは、
現在使用中の無線ネットワークのチャネル品質が所定チャネル品質より低いことを上記無線ネットワーク調整条件とする場合、上記無線端末から返信した調整許可指令を受信すると、現在使用中の第１チャネルを第２チャネルに切替え、無線ネットワークの接続を新たに確立するための第１調整サブモジュール
を含むことを特徴とする請求項７に記載の無線ネットワーク調整装置。
【請求項９】
上記調整モジュールは、
モニタリングした無線端末の信号強度が所定信号強度より低いことを上記無線ネットワーク調整条件とする場合、上記無線端末から返信した調整許可指令を受信すると、ネットワーク発信信号強度を所定値まで高く調整するための第２調整サブモジュール
を含むことを特徴とする請求項７に記載の無線ネットワーク調整装置。
【請求項１０】
上記調整モジュールは、
モニタリングしたネットワーク発信信号強度が所在空間に必要の最小のネットワーク発信信号強度より大きいことを上記無線ネットワーク調整条件とする場合、上記無線端末から返信した調整許可指令を受信すると、ネットワーク発信信号強度が上記最小のネットワーク発信信号強度以上であることを保証するようにネットワーク発信信号強度を低く調整するための第３調整サブモジュール
を含むことを特徴とする請求項７に記載の無線ネットワーク調整装置。
【請求項１１】
プロセッサと、
プロセッサにより実行可能な指令を記憶するためのメモリとを含み、
上記プロセッサは、
無線ネットワーク状態が無線ネットワーク調整条件を満たすか否かモニタリングし、
上記無線ネットワーク状態が上記無線ネットワーク調整条件を満たす場合、無線ネットワークの調整に同意するか否かを問い合わせるための調整プロンプトを無線端末に送信し、
上記無線端末から返信した調整許可指令を受信すると、無線ネットワークを調整し、
上記無線端末から返信した調整拒否指令を受信すると、現在の無線ネットワークを維持する
ことを特徴とする無線ネットワーク調整装置。
【発明の詳細な説明】
【技術分野】
【０００１】
本発明は、ネットワーク設置技術分野に関し、特に、無線ネットワーク調整方法及び無線ネットワーク調整装置に関する。
【背景技術】
【０００２】
関連技術において、無線ルータは、ユーザがネットワークに接続するのに用いられ、無線通信領域をカバーする機能の搭載されるルータである。無線ルータは、家の壁からのブロードバンドネットワーク信号をアンテナを介して付近の無線端末（ＷｉＦｉ（登録商標）対応のノートパソコン、ＷｉＦｉ対応の携帯電話など）に転送するリピータと見なすことができる。
【発明の概要】
【発明が解決しようとする課題】
【０００３】
多くの家庭や会社では無線ルータが使用されているため、隣接する家庭や会社の無線ルータのチャネルがオーバーラップし、無線ネットワーク信号が干渉してしまう。現在、信号の干渉を避けるために、無線ルータは、自動的にチャネルを切替えるが、チャネルの切替え中又は切替え後に、無線端末の受信した信号の品質に影響を与える可能性があり、ユーザが正常に端末を使用することに影響を与え、ユーザの体験が比較的悪い。
【課題を解決するための手段】
【０００４】
本発明の実施の形態は、関連技術に存在する問題を克服するために、無線ネットワークを調整するか否かをユーザに丁寧に注意させ、ユーザの意向に応じて無線ネットワークを調整するか否かを決定するための無線ネットワーク調整方法及び無線ネットワーク調整装置を提供する。
【０００５】
本発明の実施の形態の第１態様によれば、無線ルータに用いられる無線ネットワーク調整方法を提供し、前記無線ネットワーク調整方法は、無線ネットワーク状態が無線ネットワーク調整条件を満たすか否かをモニタリングするステップと、上記無線ネットワーク状態が上記無線ネットワーク調整条件を満たす場合、無線ネットワークの調整に同意するか否かを問い合わせるための調整プロンプトを無線端末に送信するステップと、上記無線端末から返信した調整許可指令を受信すると、無線ネットワークを調整するステップと、上記無線端末から返信した調整拒否指令を受信すると、現在の無線ネットワークを維持するステップと、を含む。
【０００６】
一実施の形態において、上記無線ネットワーク調整条件は、現在使用中の無線ネットワークのチャネル品質が所定チャネル品質より低いこと、または、モニタリングした無線端末の信号強度が所定信号強度より低いこと、または、モニタリングしたネットワーク発信信号強度が所在空間に必要な最小のネットワーク発信信号強度より大きいこと、を含む。
一実施の形態において、モニタリングした無線端末の信号強度が所定信号強度より低いことを上記無線ネットワーク調整条件とする場合、上記無線端末から返信した調整許可指令を受信すると、無線ネットワークを調整するステップは、上記無線端末から返信した調整許可指令を受信すると、ネットワーク発信信号強度を所定値まで高く調整するステップを含む。
【０００７】
一実施の形態において、モニタリングしたネットワーク発信信号強度が所在空間に必要な最小のネットワーク発信信号強度より大きいことを上記無線ネットワーク調整条件とする場合、上記無線端末から返信した調整許可指令を受信すると、無線ネットワークを調整するステップは、上記無線端末から返信した調整許可指令を受信すると、ネットワーク発信信号強度が上記最小のネットワーク発信信号強度以上であることを保証するようにネットワーク発信信号強度を低く調整するステップを含む。
一実施の形態において、上記調整プロンプトは、さらに、無線ネットワーク状態情報及び／又は調整結果情報を含む。
【０００８】
本発明の実施の形態の第２態様によれば、無線ネットワーク調整装置を提供し、前記無線ネットワーク調整装置は、無線ネットワーク状態が無線ネットワーク調整条件を満たすか否かをモニタリングするためのモニタリングモジュールと、上記無線ネットワーク状態が上記無線ネットワーク調整条件を満たす場合、無線ネットワークの調整に同意するか否かを問い合わせるための調整プロンプトを無線端末に送信するための通知モジュールと、上記無線端末から返信した調整許可指令を受信すると、無線ネットワークを調整するための調整モジュールと、上記無線端末から返信した調整拒否指令を受信すると、現在の無線ネットワークを維持するための維持モジュールと、を含む。
【０００９】
一実施の形態において、上記調整モジュールは、現在使用中の無線ネットワークのチャネル品質が所定チャネル品質より低いことを上記無線ネットワーク調整条件とする場合、上記無線端末から返信した調整許可指令を受信すると、現在使用中の第１チャネルを第２チャネルに切替え、無線ネットワークの接続を新たに確立するための第１調整サブモジュールを含む。
一実施の形態において、上記調整モジュールは、モニタリングした無線端末の信号強度が所定信号強度より低いことを上記無線ネットワーク調整条件とする場合、上記無線端末から返信した調整許可指令を受信すると、ネットワーク発信信号強度を所定値まで高く調整するための第２調整サブモジュールを含む。
【００１０】
一実施の形態において、上記調整モジュールは、モニタリングしたネットワーク発信信号強度が所在空間に必要な最小のネットワーク発信信号強度より大きいことを上記無線ネットワーク調整条件とする場合、上記無線端末から返信した調整許可指令を受信すると、ネットワーク発信信号強度が上記最小のネットワーク発信信号強度以上であることを保証するようにネットワーク発信信号強度を低く調整するための第３調整サブモジュールを含む。
【００１１】
本発明の実施の形態の第３態様によれば、無線ネットワーク調整装置を提供し、前記無線ネットワーク調整装置は、プロセッサと、プロセッサにより実行可能な指令を記憶するためのメモリとを含み、上記プロセッサは、無線ネットワーク状態が無線ネットワーク調整条件を満たすか否かモニタリングし、上記無線ネットワーク状態が上記無線ネットワーク調整条件を満たす場合、無線ネットワークの調整に同意するか否かを問い合わせるための調整プロンプトを無線端末に送信し、上記無線端末から返信した調整許可指令を受信すると、無線ネットワークを調整し、上記無線端末から返信した調整拒否指令を受信すると、現在の無線ネットワークを維持する。
【発明の効果】
【００１２】
本発明の実施の形態による技術案は、以下の有益な効果を有することができる。
本発明の実施の形態による上記技術案は、無線ネットワークを調整するかユーザに丁寧に注意させ、ユーザの意向に応じて無線ネットワークを調整するか否かを決定し、ユーザの使用体験を向上させることができる。
以上の一般的な記述及び以下の詳細な記述は、例示的なものに過ぎず、本開示を限定するものではないと理解すべきである。
【図面の簡単な説明】
【００１３】
ここでの図面は、明細書の一部分として明細書全体を構成することにより、本開示に合致する実施の形態を例示するとともに、明細書を結合し本開示の原理を解釈するためのものである。
【図１】一例示的な実施の形態による無線ネットワーク調整方法を示すフローチャートである。
【図２】一例示的な実施の形態１による無線ネットワーク調整方法を示すフローチャートである。
【図３】一例示的な実施の形態２による無線ネットワーク調整方法を示すフローチャートである。
【図４】一例示的な実施の形態３による無線ネットワーク調整方法を示すフローチャートである。
【図５】一例示的な実施の形態による無線ネットワーク調整装置を示すブロック図である。
【図６】一例示的な実施の形態による調整モジュールを示すブロック図である。
【発明を実施するための形態】
【００１４】
ここで、図面に示された例示的な実施の形態を詳細に説明する。以下の内容において、図面に言及するとき、特に説明しない限り、異なる図面における同じ数字が同一または同等の要素を示す。以下の例示的な実施の形態に記載の実施の形態は、本発明と一致するあらゆる実施の形態を代表するわけではない。逆に、それらは、添付された特許請求の範囲に詳細に記載される、本発明の一部の態様と一致する装置及び方法の例にすぎない。
【００１５】
図１は、一例示的な実施の形態による無線ネットワーク調整方法を示すフローチャートである。当該無線ネットワーク調整方法は、無線ルータに適用され、以下のステップＳ１０１〜Ｓ１０４を含む。
ステップＳ１０１において、無線ネットワーク状態が無線ネットワーク調整条件を満たすか否かをモニタリングする。
【００１６】
一実施の形態において、無線ネットワーク調整条件は、現在使用中の無線ネットワークのチャネル品質が所定チャネル品質より低いという第１条件である。所定チャネル品質は、所定のチャネルパラメータ値で示され、チャネルパラメータは伝送レート、Ｓ／Ｎ（信号／ノイズ）比、チャネルゲイン、ノイズパワー、マルチパス減衰などのパラメータのうちの１つ又は複数である。所定チャネル品質として伝送レートをＸ１とする場合、伝送レートがＸ１より低くなると、現在使用中の無線ネットワークのチャネル品質が所定チャネル品質より低いと判定する。
又は、無線ネットワーク調整条件は、モニタリングした無線端末の信号強度が所定信号強度より低いという第２条件である。所定信号強度は、ユーザにより必要に応じて設定されるか、システムにより設定される。
【００１７】
又は、無線ネットワーク調整条件は、モニタリングしたネットワーク発信信号強度が所在空間に必要な最小のネットワーク発信信号強度より大きいという第３条件である。ネットワーク発信信号強度は、無線ルータから送信される無線ネットワーク信号の強度である。通常、無線ルータの所在空間が比較的小さい場合、無線ルータに比較的小さいネットワーク発信信号強度があれば、当該空間に位置する無線端末が信号を受信できるが、無線ルータの所在空間が比較的大きい場合、当該空間に位置する無線端末が信号を受信できるように、無線ルータのネットワーク発信信号強度が比較的大きくなければならない。従って、無線ルータの所在空間の大きさを予めモニタリングし（現在の画像モニタリング技術を採用し、所在空間の大きさを取得することができる）、所在空間の大きさに応じて、所在空間に必要な最小のネットワーク発信信号強度を特定する（従来の経験データから特定できる）。
【００１８】
ステップＳ１０２において、無線ネットワーク状態が無線ネットワーク調整条件を満たす場合、無線ネットワークの調整に同意するか否かを問い合わせるための調整プロンプトを無線端末に送信する。
一実施の形態において、調整プロンプトは、例えば、「ユーザが無線ネットワークの調整に同意しますか」又は「引き続き無線ネットワークを調整しますか」のような問い合わせメッセージであってもよい。
一実施の形態において、無線ネットワーク状態が無線ネットワーク調整条件を満たさない場合、現在の無線ネットワークを維持する。
【００１９】
ステップＳ１０３において、無線端末から返信した調整拒否指令を受信すると、現在の無線ネットワークを維持する。
一実施の形態において、調整プロンプトは、無線端末に送信された後、無線端末により無線端末のユーザに表示される。ユーザは、当該調整プロンプトをチェックしてから、無線端末に選択を入力する。例えば「ＹＥＳ」を選択する場合、無線端末は、ユーザが調整に同意すると判断し、調整許可指令を無線ルータに返信する。ユーザが「ＮＯ」を選択する場合、無線端末は、ユーザが調整に同意しないと判断し、調整拒否指令を無線ルータに返信する。
無線端末から返信した調整拒否指令を受信すると、無線端末のユーザがネットワーク調整に同意しないことを示す。このとき、無線ネットワークを調整せず、現在の無線ネットワークを維持する。これは、ユーザの意向に一致し、ユーザが無線ネットワークを正常に使用することに影響を与えることを避ける。
【００２０】
ステップＳ１０４において、無線端末から返信した調整許可指令を受信すると、無線ネットワークを調整する。
無線端末から返信した調整許可指令を受信すると、無線端末のユーザがネットワーク調整に同意することを示す。このとき、無線ネットワークを調整し、ユーザの意向に一致し、調整中にユーザが無線ネットワークを使用することに影響を与えても、事前にユーザから許可を得たので、ユーザは、端末使用が影響される心構えができているため、ユーザの使用体験が向上する。
【００２１】
一実施の形態において、無線ネットワーク状態が上記第１条件である「現在使用中の無線ネットワークのチャネル品質が所定チャネル品質より低い」を満たす場合、ステップＳ１０４において、無線端末から返信した調整許可指令を受信すると、現在使用中の第１チャネルを第２チャネルに切替え、無線ネットワークの接続を新たに確立する。即ち、現在使用中の無線ネットワークのチャネル品質が所定チャネル品質に達していない場合、現在使用中の第１チャネルを第２チャネルに切替え、チャネル品質向上の目的を実現する。詳しくは、後述の実施の形態１を参照する。
【００２２】
一実施の形態において、無線ネットワーク状態が上記第２条件である「モニタリングした無線端末の信号強度が所定信号強度より低い」を満たす場合、ステップＳ１０４において、無線端末から返信した調整許可指令を受信すると、ネットワーク発信信号強度を所定値まで高く調整する。通常、無線ルータのモニタリングした無線端末の信号強度が比較的小さい場合、無線端末が受信する無線ネットワーク信号品質は、比較的悪い。無線端末の受信する無線ネットワーク信号品質が安定である、又は比較的高くなることを保証するために、無線ルータは、ネットワーク発信信号強度を所定値まで高く調整し、ネットワーク発信信号強度を高くすることにより、無線端末の受信する無線ネットワーク信号品質を向上させる。詳しくは、後述の実施の形態２を参照する。
【００２３】
一実施の形態において、無線ネットワーク状態が上記第３条件である「モニタリングしたネットワーク発信信号強度が所在空間に必要な最小のネットワーク発信信号強度より大きい」を満たす場合、ステップＳ１０４において、無線端末から返信した調整許可指令を受信すると、ネットワーク発信信号強度が最小のネットワーク発信信号強度以上であることを保証できるようにネットワーク発信信号強度を低く調整する。即ち、無線ルータのネットワーク発信信号強度が所在空間に必要な最小のネットワーク発信信号強度より大きいとき、無線ルータで必要でないエネルギーを無駄にしないことを避けるために、ネットワーク発信信号強度を低く調整し、且つ低く調整された後のネットワーク発信信号強度が所在空間において無線端末の正常動作に充分であることを保証し、必要でないエネルギーを無駄にしないことを避けるとともに、無線端末の正常動作を保証することもできる。詳しくは、後述の実施の形態３を参照する。
【００２４】
一実施の形態において、上記調整プロンプトは、上記問い合わせメッセージのほかに、無線ネットワーク状態情報、調整結果情報のうちの１つか複数をさらに含んでもよく、無線端末のユーザが無線ネットワーク状態情報又は調整結果情報を取得することができ、ユーザにネットワーク環境をより把握させ、ユーザの使用体験をさらに向上させる。無線ネットワーク状態情報は、実際の状況に応じて、現在使用中のチャネル番号、現在の発信信号強度、所在空間の大きさ、無線端末の信号強度などのうちのいずれか１つ又は複数の情報であり、調整結果情報は、切替え後のチャネル番号、調整後の発信信号強度のうちのいずれか１つ又は複数の情報である。
【００２５】
一実施の形態において、上記無線端末は、ＷｉＦｉ対応のノートパソコン、ＷｉＦｉ対応のタブレットパソコン、ＷｉＦｉ対応の携帯電話などである。
本発明の実施の形態による上記方法は、無線ネットワークを調整するか否かをユーザに丁寧に注意させ、ユーザの意向に応じて無線ネットワークを調整するか否かを決定し、ユーザの使用体験を向上させることができる。
以下、具体的な実施の形態を参照し、本発明の実施の形態による上記方法について説明する。
【００２６】
（実施の形態１）
本実施の形態１において、無線ルータは、本発明の実施の形態による上記方法を利用してチャネルを切替え、図２に示すように、以下のステップを含む。
ステップＳ２０１において、無線ルータは、現在使用中の無線ネットワークのチャネル品質が所定チャネル品質より低いか否かをモニタリングする。低い場合、続けてステップＳ２０２を実行するが、さもなければ、現在の無線ネットワークを維持する。
ステップＳ２０２において、現在使用中の無線ネットワークのチャネル品質が所定チャネル品質より低い場合、無線ルータは、無線ネットワークの調整に同意するか否かを問い合わせるための調整プロンプトを携帯電話に送信する。
上記調整プロンプトは、無線ネットワーク状態情報、調整結果情報のうちの１つか複数のメッセージをさらに含んでもいい。
【００２７】
ステップＳ２０３において、携帯電話は、ユーザに「無線ネットワークの調整に同意しますか」のような調整プロンプトを表示するとともに、「ＹＥＳ」及び「ＮＯ」の２つの選択肢をユーザに提供する（無線ネットワーク状態情報、調整結果情報のうちの１つか複数のメッセージを表示してもいい）。ユーザが「ＹＥＳ」を選択すると、携帯電話から無線ルータに調整許可指令を送信し、続けてステップＳ２０４を実行する一方、ユーザが「ＮＯ」を選択すると、携帯電話から無線ルータに調整拒否指令を送信し、続けてステップＳ２０５を実行する。
【００２８】
ステップＳ２０４において、無線ルータは、携帯電話から調整許可指令を受信すると、現在使用中の第１チャネルを第２チャネルに切替え、無線ネットワークの接続を新たに確立する。
ステップＳ２０５において、無線ルータは、携帯電話から調整拒否指令を受信すると、現在のチャネルを維持する。
本実施の形態１は、無線ネットワークを調整するか否かをユーザに丁寧に注意させ、ユーザの意向に応じて無線ネットワークを調整するか否かを決定し、ユーザの使用体験を向上させることができる。
【００２９】
（実施の形態２）
本実施の形態２において、無線ルータは、本発明の実施の形態による上記方法を利用して信号強度を調整し、図３に示すように、以下のステップを含む。
ステップＳ３０１において、無線ルータは、携帯電話の信号強度が所定信号強度より低いか否かをモニタリングする。低い場合、続けてステップＳ３０２を実行するが、さもなければ、現在の無線ネットワークを維持する。
ステップＳ３０２において、携帯電話の信号強度が所定信号強度より低い場合、無線ルータは、無線ネットワークの調整に同意するか否かを問い合わせるための調整プロンプトを携帯電話に送信する。
上記調整プロンプトは、無線ネットワーク状態情報、調整結果情報のうちの１つか複数のメッセージをさらに含んでもいい。
【００３０】
ステップＳ３０３において、携帯電話は、ユーザに「無線ネットワークの調整に同意しますか」のような調整プロンプトを表示するとともに、「ＹＥＳ」及び「ＮＯ」の２つの選択肢をユーザに提供する（無線ネットワーク状態情報、調整結果情報のうちの１つか複数のメッセージを表示してもいい）。ユーザが「ＹＥＳ」を選択すると、携帯電話から無線ルータに調整許可指令を送信し、続けてステップＳ３０４を実行する一方、ユーザが「ＮＯ」を選択すると、携帯電話から無線ルータに調整拒否指令を送信し、続けてステップＳ３０５を実行する。
【００３１】
ステップＳ３０４において、無線ルータは、携帯電話から調整許可指令を受信すると、ネットワーク発信信号強度を所定値まで高く調整する。
ステップＳ３０５において、無線ルータは、携帯電話から調整拒否指令を受信すると、現在の無線ネットワークを維持する。
本実施の形態２は、無線ネットワークを調整するか否かをユーザに丁寧に注意させ、ユーザの意向に応じて無線ネットワークを調整するか否かを決定し、ユーザの使用体験を向上させることができる。
【００３２】
（実施の形態３）
本実施の形態３において、無線ルータは、本発明の実施の形態による上記方法を利用して信号強度を調整し、図４に示すように、以下のステップを含む。
ステップＳ４０１において、無線ルータは、ネットワーク発信信号強度が所在空間に必要な最小のネットワーク発信信号強度より大きいか否かをモニタリングする。大きい場合、続けてステップＳ４０２を実行するが、さもなければ、現在の無線ネットワークを維持する。
ステップＳ４０２において、ネットワーク発信信号強度が所在空間に必要な最小のネットワーク発信信号強度より大きい場合、無線ルータは、無線ネットワークの調整に同意するか否かを問い合わせるための調整プロンプトを携帯電話に送信する。
【００３３】
ステップＳ４０３において、携帯電話は、ユーザに「無線ネットワークの調整に同意しますか」のような調整プロンプトを表示するとともに、「ＹＥＳ」及び「ＮＯ」の２つの選択肢をユーザに提供する（無線ネットワーク状態情報、調整結果情報のうちの１つか複数のメッセージを表示してもいい）。ユーザが「ＹＥＳ」を選択すると、携帯電話から無線ルータに調整許可指令を送信し、続けてステップＳ４０４を実行する一方、ユーザが「ＮＯ」を選択すると、携帯電話から無線ルータに調整拒否指令を送信し、続けてステップＳ４０５を実行する。
【００３４】
ステップＳ４０４において、無線ルータは、携帯電話から調整許可指令を受信すると、最小のネットワーク発信信号強度以上であることを保証するようにネットワーク発信信号強度を低く調整する。
ステップＳ４０５において、無線ルータは、携帯電話から調整拒否指令を受信すると、現在の無線ネットワークを維持する。
本実施の形態３は、無線ネットワークを調整するか否かをユーザに丁寧に注意させ、ユーザの意向に応じて無線ネットワークを調整するか否かを決定し、ユーザの使用体験を向上させることができる。
【００３５】
本発明の実施の形態は、さらに、上記無線ネットワーク調整方法に対応する無線ネットワーク調整装置を提供し、図５に示すように、上記無線ネットワーク調整装置は、
無線ネットワーク状態が無線ネットワーク調整条件を満たすか否かをモニタリングするためのモニタリングモジュール５１と、
上記無線ネットワーク状態が上記無線ネットワーク調整条件を満たす場合、無線ネットワークの調整に同意するか否かを問い合わせるための調整プロンプトを無線端末に送信するための通知モジュール５２と、
上記無線端末から返信した調整許可指令を受信すると、無線ネットワークを調整するための調整モジュール５３と、
上記無線端末から返信した調整拒否指令を受信すると、現在の無線ネットワークを維持するための維持モジュール５４とを含む。
【００３６】
一実施の形態において、図６に示すように、調整モジュール５３は、第１調整サブモジュール６１、或いは第２調整サブモジュール６２、或いは第３調整サブモジュール６３を含む。
第１調整サブモジュール６１は、現在使用中の無線ネットワークのチャネル品質が所定チャネル品質より低くなることを無線ネットワーク調整条件とする場合、無線端末から返信した調整許可指令を受信すると、現在使用中の第１チャネルを第２チャネルに切替え、無線ネットワークの接続を新たに確立する。
【００３７】
第２調整サブモジュール６２は、モニタリングした無線端末の信号強度が所定信号強度より低くなることを無線ネットワーク調整条件とする場合、無線端末から返信した調整許可指令を受信すると、ネットワーク発信信号強度を所定値まで高く調整する。
第３調整サブモジュール６３は、モニタリングしたネットワーク発信信号強度が所在空間に必要な最小のネットワーク発信信号強度より大きいことを無線ネットワーク調整条件とする場合、無線端末から返信した調整許可指令を受信すると、ネットワーク発信信号強度が最小のネットワーク発信信号強度以上であることを保証するようにネットワーク発信信号強度を低く調整する。
上記実施の形態の装置における各モジュールが動作を実行する具体的な形態は、方法に関する実施の形態において詳細に説明したため、ここでは詳細に説明しない。
【００３８】
無線ネットワーク調整装置は、プロセッサと、プロセッサにより実行可能な指令を記憶するためのメモリとを含み、上記プロセッサは、無線ネットワーク状態が無線ネットワーク調整条件を満たすか否かをモニタリングし、上記無線ネットワーク状態が上記無線ネットワーク調整条件を満たす場合、無線ネットワークの調整に同意するか否かを問い合わせるための調整プロンプトを無線端末に送信し、上記無線端末から返信した調整許可指令を受信すると、無線ネットワークを調整し、上記無線端末から返信した調整拒否指令を受信すると、現在の無線ネットワークを維持するように配置される。
【００３９】
上記プロセッサは、さらに、以下のように配置される。上記無線ネットワーク調整条件は、現在使用中の無線ネットワークのチャネル品質が所定チャネル品質より低く、または、モニタリングした無線端末の信号強度が所定信号強度より低く、または、モニタリングしたネットワーク発信信号強度が所在空間に必要な最小ネットワーク発信信号強度より大きいことである。
上記プロセッサは、さらに、以下のように配置される。現在使用中の無線ネットワークのチャネル品質が所定チャネル品質より低くなることを無線ネットワーク調整条件とする場合、上記無線端末から返信した調整許可指令を受信すると、無線ネットワークを調整することは、上記無線端末から返信した調整許可指令を受信すると、現在使用中の第１チャネルを第２チャネルに切替え、無線ネットワークの接続を新たに確立することを含む。
【００４０】
上記プロセッサは、さらに、以下のように配置される。モニタリングした無線端末の信号強度が所定信号強度より低くなることを無線ネットワーク調整条件とする場合、上記無線端末から返信した調整許可指令を受信すると、無線ネットワークを調整することは、上記無線端末から返信した調整許可指令を受信すると、ネットワーク発信信号強度を所定値まで高く調整することを含む。
上記プロセッサは、さらに、以下のように配置される。モニタリングしたネットワーク発信信号強度が所在空間に必要な最小のネットワーク発信信号強度より大きいことを無線ネットワーク調整条件とする場合、上記無線端末から返信した調整許可指令を受信すると、無線ネットワークを調整することは、上記無線端末から返信した調整許可指令を受信すると、ネットワーク発信信号強度が上記最小のネットワーク発信信号強度以上であることを保証するようにネットワーク発信信号強度を低く調整することを含む。
上記プロセッサは、さらに、以下のように配置される。上記調整プロンプトは、無線ネットワーク状態情報及び／又は調整結果情報をさらに含む。
【００４１】
非一時的なコンピュータで読み取り可能な記憶媒体は、当該記録媒体中の指令が無線ルータのプロセッサによって実行される際に、無線ルータに無線ネットワーク調整方法を実行させることができる。当該無線ネットワーク調整方法は、無線ネットワーク状態が無線ネットワーク調整条件を満たすか否かをモニタリングするステップと、上記無線ネットワーク状態が上記無線ネットワーク調整条件を満たす場合、無線ネットワークの調整に同意するか否かを問い合わせるための調整プロンプトを無線端末に送信するステップと、上記無線端末から返信した調整許可指令を受信すると、無線ネットワークを調整するステップと、上記無線端末から返信した調整拒否指令を受信すると、現在の無線ネットワークを維持するステップとを含む。
【００４２】
一実施の形態において、上記無線ネットワーク調整条件は、現在使用中の無線ネットワークのチャネル品質が所定チャネル品質より低く、または、モニタリングした無線端末の信号強度が所定信号強度より低く、または、モニタリングしたネットワーク発信信号強度が所在空間に必要な最小ネットワーク発信信号強度より大きいことを含む。
一実施の形態において、現在使用中の無線ネットワークのチャネル品質が所定チャネル品質より低いことを無線ネットワーク調整条件とする場合、上記無線端末から返信した調整許可指令を受信すると、無線ネットワークを調整するステップは、上記無線端末から返信した調整許可指令を受信すると、現在使用中の第１チャネルを第２チャネルに切替え、無線ネットワークの接続を新たに確立するステップを含む。
【００４３】
一実施の形態において、モニタリングした無線端末の信号強度が所定信号強度より低いことを無線ネットワーク調整条件とする場合、上記無線端末から返信した調整許可指令を受信すると、無線ネットワークを調整するステップは、上記無線端末から返信した調整許可指令を受信すると、ネットワーク発信信号強度を所定値まで高く調整するステップを含む。
一実施の形態において、モニタリングしたネットワーク発信信号強度が所在空間に必要な最小のネットワーク発信信号強度より大きいことを無線ネットワーク調整条件とする場合、上記無線端末から返信した調整許可指令を受信すると、無線ネットワークを調整するステップは、上記無線端末から返信した調整許可指令を受信すると、ネットワーク発信信号強度が上記最小のネットワーク発信信号強度以上であることを保証するようにネットワーク発信信号強度を低く調整するステップを含む。
一実施の形態において、上記調整プロンプトは、無線ネットワーク状態情報及び／又は調整結果情報をさらに含むことができる。
【００４４】
当業者は、本明細書に開示された発明の詳細を考慮し、実施することにより、本発明の他の実施方案を容易に想定することができる。本出願は、本発明のいかなる変形、用途、又は適切な変化を含むことを目的としており、いかなる変形、用途、又は適切な変化は、本発明の一般原理に基づき、且つ本開示において公開されていない本技術分野においての公知常識又は慣用技術手段を含む。明細書及び実施の形態は、例示的なものを開示しており、本発明の保護範囲と主旨は、特許請求の範囲に記述される。
本発明は、上記において開示された構成又は図面に示した構造に限定されるものではなく、本発明の範囲内であれば、様々な補正又は変更を行うことができる。本発明の範囲は、特許請求の範囲により制限される。
本願は、出願番号がＣＮ２０１４１０４０９３７８．７であって、出願日が２０１４年８月１９日である中国特許出願に基づき優先権を主張し、当該中国特許出願のすべての内容を本願に援用する。
【図１】
2016535551.tif 000003
【図２】
2016535551.tif 000004
【図３】
2016535551.tif 000005
【図４】
2016535551.tif 000006
【図５】
2016535551.tif 000007
【図６】
2016535551.tif 000008
【手続補正書】
【提出日】平成27年3月27日(2015.3.27)
【手続補正１】
【補正対象書類名】明細書
【補正対象項目名】全文
【補正方法】変更
【補正の内容】
【発明の詳細な説明】
【技術分野】
【０００１】
本発明は、ネットワーク設置技術分野に関し、特に、無線ネットワーク調整方法、無線ネットワーク調整装置、プログラム及び記憶媒体に関する。
【背景技術】
【０００２】
関連技術において、無線ルータは、ユーザがネットワークに接続するのに用いられ、無線通信領域をカバーする機能の搭載されるルータである。無線ルータは、家の壁からのブロードバンドネットワーク信号をアンテナを介して付近の無線端末（ＷｉＦｉ（登録商標）対応のノートパソコン、ＷｉＦｉ対応の携帯電話など）に転送するリピータと見なすことができる。
【発明の概要】
【発明が解決しようとする課題】
【０００３】
多くの家庭や会社では無線ルータが使用されているため、隣接する家庭や会社の無線ルータのチャネルがオーバーラップし、無線ネットワーク信号が干渉してしまう。現在、信号の干渉を避けるために、無線ルータは、自動的にチャネルを切替えるが、チャネルの切替え中又は切替え後に、無線端末の受信した信号の品質に影響を与える可能性があり、ユーザが正常に端末を使用することに影響を与え、ユーザの体験が比較的悪い。
【課題を解決するための手段】
【０００４】
本発明の実施の形態は、関連技術に存在する問題を克服するために、無線ネットワークを調整するか否かをユーザに丁寧に注意させ、ユーザの意向に応じて無線ネットワークを調整するか否かを決定するための無線ネットワーク調整方法、無線ネットワーク調整装置、プログラム及び記憶媒体を提供する。
【０００５】
本発明の実施の形態の第１態様によれば、無線ルータに用いられる無線ネットワーク調整方法を提供し、前記無線ネットワーク調整方法は、無線ネットワーク状態が無線ネットワーク調整条件を満たすか否かをモニタリングするステップと、上記無線ネットワーク状態が上記無線ネットワーク調整条件を満たす場合、無線ネットワークの調整に同意するか否かを問い合わせるための調整プロンプトを無線端末に送信するステップと、上記無線端末から返信した調整許可指令を受信すると、無線ネットワークを調整するステップと、上記無線端末から返信した調整拒否指令を受信すると、現在の無線ネットワークを維持するステップと、を含む。
【０００６】
一実施の形態において、上記無線ネットワーク調整条件は、現在使用中の無線ネットワークのチャネル品質が所定チャネル品質より低いこと、または、モニタリングした無線端末の信号強度が所定信号強度より低いこと、または、モニタリングしたネットワーク発信信号強度が所在空間に必要な最小のネットワーク発信信号強度より大きいこと、を含む。
一実施の形態において、モニタリングした無線端末の信号強度が所定信号強度より低いことを上記無線ネットワーク調整条件とする場合、上記無線端末から返信した調整許可指令を受信すると、無線ネットワークを調整するステップは、上記無線端末から返信した調整許可指令を受信すると、ネットワーク発信信号強度を所定値まで高く調整するステップを含む。
【０００７】
一実施の形態において、モニタリングしたネットワーク発信信号強度が所在空間に必要な最小のネットワーク発信信号強度より大きいことを上記無線ネットワーク調整条件とする場合、上記無線端末から返信した調整許可指令を受信すると、無線ネットワークを調整するステップは、上記無線端末から返信した調整許可指令を受信すると、ネットワーク発信信号強度が上記最小のネットワーク発信信号強度以上であることを保証するようにネットワーク発信信号強度を低く調整するステップを含む。
一実施の形態において、上記調整プロンプトは、さらに、無線ネットワーク状態情報及び／又は調整結果情報を含む。
【０００８】
本発明の実施の形態の第２態様によれば、無線ネットワーク調整装置を提供し、前記無線ネットワーク調整装置は、無線ネットワーク状態が無線ネットワーク調整条件を満たすか否かをモニタリングするためのモニタリングモジュールと、上記無線ネットワーク状態が上記無線ネットワーク調整条件を満たす場合、無線ネットワークの調整に同意するか否かを問い合わせるための調整プロンプトを無線端末に送信するための通知モジュールと、上記無線端末から返信した調整許可指令を受信すると、無線ネットワークを調整するための調整モジュールと、上記無線端末から返信した調整拒否指令を受信すると、現在の無線ネットワークを維持するための維持モジュールと、を含む。
【０００９】
一実施の形態において、上記調整モジュールは、現在使用中の無線ネットワークのチャネル品質が所定チャネル品質より低いことを上記無線ネットワーク調整条件とする場合、上記無線端末から返信した調整許可指令を受信すると、現在使用中の第１チャネルを第２チャネルに切替え、無線ネットワークの接続を新たに確立するための第１調整サブモジュールを含む。
一実施の形態において、上記調整モジュールは、モニタリングした無線端末の信号強度が所定信号強度より低いことを上記無線ネットワーク調整条件とする場合、上記無線端末から返信した調整許可指令を受信すると、ネットワーク発信信号強度を所定値まで高く調整するための第２調整サブモジュールを含む。
【００１０】
一実施の形態において、上記調整モジュールは、モニタリングしたネットワーク発信信号強度が所在空間に必要な最小のネットワーク発信信号強度より大きいことを上記無線ネットワーク調整条件とする場合、上記無線端末から返信した調整許可指令を受信すると、ネットワーク発信信号強度が上記最小のネットワーク発信信号強度以上であることを保証するようにネットワーク発信信号強度を低く調整するための第３調整サブモジュールを含む。
【００１１】
本発明の実施の形態の第３態様によれば、無線ネットワーク調整装置を提供し、前記無線ネットワーク調整装置は、プロセッサと、プロセッサにより実行可能な指令を記憶するためのメモリとを含み、上記プロセッサは、無線ネットワーク状態が無線ネットワーク調整条件を満たすか否かモニタリングし、上記無線ネットワーク状態が上記無線ネットワーク調整条件を満たす場合、無線ネットワークの調整に同意するか否かを問い合わせるための調整プロンプトを無線端末に送信し、上記無線端末から返信した調整許可指令を受信すると、無線ネットワークを調整し、上記無線端末から返信した調整拒否指令を受信すると、現在の無線ネットワークを維持する。
本発明の実施の形態の第４態様によれば、プロセッサに実行されることにより、前記無線ネットワーク調整方法を実現するプログラムを提供する。
本発明の実施の形態の第５態様によれば、前記プログラムを記録した記録媒体を提供する。
【発明の効果】
【００１２】
本発明の実施の形態による技術案は、以下の有益な効果を有することができる。
本発明の実施の形態による上記技術案は、無線ネットワークを調整するかユーザに丁寧に注意させ、ユーザの意向に応じて無線ネットワークを調整するか否かを決定し、ユーザの使用体験を向上させることができる。
以上の一般的な記述及び以下の詳細な記述は、例示的なものに過ぎず、本開示を限定するものではないと理解すべきである。
【図面の簡単な説明】
【００１３】
ここでの図面は、明細書の一部分として明細書全体を構成することにより、本開示に合致する実施の形態を例示するとともに、明細書を結合し本開示の原理を解釈するためのものである。
【図１】一例示的な実施の形態による無線ネットワーク調整方法を示すフローチャートである。
【図２】一例示的な実施の形態１による無線ネットワーク調整方法を示すフローチャートである。
【図３】一例示的な実施の形態２による無線ネットワーク調整方法を示すフローチャートである。
【図４】一例示的な実施の形態３による無線ネットワーク調整方法を示すフローチャートである。
【図５】一例示的な実施の形態による無線ネットワーク調整装置を示すブロック図である。
【図６】一例示的な実施の形態による調整モジュールを示すブロック図である。
【発明を実施するための形態】
【００１４】
ここで、図面に示された例示的な実施の形態を詳細に説明する。以下の内容において、図面に言及するとき、特に説明しない限り、異なる図面における同じ数字が同一または同等の要素を示す。以下の例示的な実施の形態に記載の実施の形態は、本発明と一致するあらゆる実施の形態を代表するわけではない。逆に、それらは、添付された特許請求の範囲に詳細に記載される、本発明の一部の態様と一致する装置及び方法の例にすぎない。
【００１５】
図１は、一例示的な実施の形態による無線ネットワーク調整方法を示すフローチャートである。当該無線ネットワーク調整方法は、無線ルータに適用され、以下のステップＳ１０１〜Ｓ１０４を含む。
ステップＳ１０１において、無線ネットワーク状態が無線ネットワーク調整条件を満たすか否かをモニタリングする。
【００１６】
一実施の形態において、無線ネットワーク調整条件は、現在使用中の無線ネットワークのチャネル品質が所定チャネル品質より低いという第１条件である。所定チャネル品質は、所定のチャネルパラメータ値で示され、チャネルパラメータは伝送レート、Ｓ／Ｎ（信号／ノイズ）比、チャネルゲイン、ノイズパワー、マルチパス減衰などのパラメータのうちの１つ又は複数である。所定チャネル品質として伝送レートをＸ１とする場合、伝送レートがＸ１より低くなると、現在使用中の無線ネットワークのチャネル品質が所定チャネル品質より低いと判定する。
又は、無線ネットワーク調整条件は、モニタリングした無線端末の信号強度が所定信号強度より低いという第２条件である。所定信号強度は、ユーザにより必要に応じて設定されるか、システムにより設定される。
【００１７】
又は、無線ネットワーク調整条件は、モニタリングしたネットワーク発信信号強度が所在空間に必要な最小のネットワーク発信信号強度より大きいという第３条件である。ネットワーク発信信号強度は、無線ルータから送信される無線ネットワーク信号の強度である。通常、無線ルータの所在空間が比較的小さい場合、無線ルータに比較的小さいネットワーク発信信号強度があれば、当該空間に位置する無線端末が信号を受信できるが、無線ルータの所在空間が比較的大きい場合、当該空間に位置する無線端末が信号を受信できるように、無線ルータのネットワーク発信信号強度が比較的大きくなければならない。従って、無線ルータの所在空間の大きさを予めモニタリングし（現在の画像モニタリング技術を採用し、所在空間の大きさを取得することができる）、所在空間の大きさに応じて、所在空間に必要な最小のネットワーク発信信号強度を特定する（従来の経験データから特定できる）。
【００１８】
ステップＳ１０２において、無線ネットワーク状態が無線ネットワーク調整条件を満たす場合、無線ネットワークの調整に同意するか否かを問い合わせるための調整プロンプトを無線端末に送信する。
一実施の形態において、調整プロンプトは、例えば、「無線ネットワークの調整に同意しますか」又は「引き続き無線ネットワークを調整しますか」のような問い合わせメッセージであってもよい。
一実施の形態において、無線ネットワーク状態が無線ネットワーク調整条件を満たさない場合、現在の無線ネットワークを維持する。
【００１９】
ステップＳ１０３において、無線端末から返信した調整拒否指令を受信すると、現在の無線ネットワークを維持する。
一実施の形態において、調整プロンプトは、無線端末に送信された後、無線端末により無線端末のユーザに表示される。ユーザは、当該調整プロンプトをチェックしてから、無線端末に選択を入力する。例えば「ＹＥＳ」を選択する場合、無線端末は、ユーザが調整に同意すると判断し、調整許可指令を無線ルータに返信する。ユーザが「ＮＯ」を選択する場合、無線端末は、ユーザが調整に同意しないと判断し、調整拒否指令を無線ルータに返信する。
無線端末から返信した調整拒否指令を受信すると、無線端末のユーザがネットワーク調整に同意しないことを示す。このとき、無線ネットワークを調整せず、現在の無線ネットワークを維持する。これは、ユーザの意向に一致し、ユーザが無線ネットワークを正常に使用することに影響を与えることを避ける。
【００２０】
ステップＳ１０４において、無線端末から返信した調整許可指令を受信すると、無線ネットワークを調整する。
無線端末から返信した調整許可指令を受信すると、無線端末のユーザがネットワーク調整に同意することを示す。このとき、無線ネットワークを調整し、ユーザの意向に一致し、調整中にユーザが無線ネットワークを使用することに影響を与えても、事前にユーザから許可を得たので、ユーザは、端末使用が影響される心構えができているため、ユーザの使用体験が向上する。
【００２１】
一実施の形態において、無線ネットワーク状態が上記第１条件である「現在使用中の無線ネットワークのチャネル品質が所定チャネル品質より低い」を満たす場合、ステップＳ１０４において、無線端末から返信した調整許可指令を受信すると、現在使用中の第１チャネルを第２チャネルに切替え、無線ネットワークの接続を新たに確立する。即ち、現在使用中の無線ネットワークのチャネル品質が所定チャネル品質に達していない場合、現在使用中の第１チャネルを第２チャネルに切替え、チャネル品質向上の目的を実現する。詳しくは、後述の実施の形態１を参照する。
【００２２】
一実施の形態において、無線ネットワーク状態が上記第２条件である「モニタリングした無線端末の信号強度が所定信号強度より低い」を満たす場合、ステップＳ１０４において、無線端末から返信した調整許可指令を受信すると、ネットワーク発信信号強度を所定値まで高く調整する。通常、無線ルータのモニタリングした無線端末の信号強度が比較的小さい場合、無線端末が受信する無線ネットワーク信号品質は、比較的悪い。無線端末の受信する無線ネットワーク信号品質が安定である、又は比較的高くなることを保証するために、無線ルータは、ネットワーク発信信号強度を所定値まで高く調整し、ネットワーク発信信号強度を高くすることにより、無線端末の受信する無線ネットワーク信号品質を向上させる。詳しくは、後述の実施の形態２を参照する。
【００２３】
一実施の形態において、無線ネットワーク状態が上記第３条件である「モニタリングしたネットワーク発信信号強度が所在空間に必要な最小のネットワーク発信信号強度より大きい」を満たす場合、ステップＳ１０４において、無線端末から返信した調整許可指令を受信すると、ネットワーク発信信号強度が最小のネットワーク発信信号強度以上であることを保証できるようにネットワーク発信信号強度を低く調整する。即ち、無線ルータのネットワーク発信信号強度が所在空間に必要な最小のネットワーク発信信号強度より大きいとき、無線ルータで必要でないエネルギーを無駄にしないことを避けるために、ネットワーク発信信号強度を低く調整し、且つ低く調整された後のネットワーク発信信号強度が所在空間において無線端末の正常動作に充分であることを保証し、必要でないエネルギーを無駄にしないことを避けるとともに、無線端末の正常動作を保証することもできる。詳しくは、後述の実施の形態３を参照する。
【００２４】
一実施の形態において、上記調整プロンプトは、上記問い合わせメッセージのほかに、無線ネットワーク状態情報、調整結果情報のうちの１つか複数をさらに含んでもよく、無線端末のユーザが無線ネットワーク状態情報又は調整結果情報を取得することができ、ユーザにネットワーク環境をより把握させ、ユーザの使用体験をさらに向上させる。無線ネットワーク状態情報は、実際の状況に応じて、現在使用中のチャネル番号、現在の発信信号強度、所在空間の大きさ、無線端末の信号強度などのうちのいずれか１つ又は複数の情報であり、調整結果情報は、切替え後のチャネル番号、調整後の発信信号強度のうちのいずれか１つ又は複数の情報である。
【００２５】
一実施の形態において、上記無線端末は、ＷｉＦｉ対応のノートパソコン、ＷｉＦｉ対応のタブレットパソコン、ＷｉＦｉ対応の携帯電話などである。
本発明の実施の形態による上記方法は、無線ネットワークを調整するか否かをユーザに丁寧に注意させ、ユーザの意向に応じて無線ネットワークを調整するか否かを決定し、ユーザの使用体験を向上させることができる。
以下、具体的な実施の形態を参照し、本発明の実施の形態による上記方法について説明する。
【００２６】
（実施の形態１）
本実施の形態１において、無線ルータは、本発明の実施の形態による上記方法を利用してチャネルを切替え、図２に示すように、以下のステップを含む。
ステップＳ２０１において、無線ルータは、現在使用中の無線ネットワークのチャネル品質が所定チャネル品質より低いか否かをモニタリングする。低い場合、続けてステップＳ２０２を実行するが、さもなければ、現在の無線ネットワークを維持する。
ステップＳ２０２において、現在使用中の無線ネットワークのチャネル品質が所定チャネル品質より低い場合、無線ルータは、無線ネットワークの調整に同意するか否かを問い合わせるための調整プロンプトを携帯電話に送信する。
上記調整プロンプトは、無線ネットワーク状態情報、調整結果情報のうちの１つか複数のメッセージをさらに含んでもいい。
【００２７】
ステップＳ２０３において、携帯電話は、ユーザに「無線ネットワークの調整に同意しますか」のような調整プロンプトを表示するとともに、「ＹＥＳ」及び「ＮＯ」の２つの選択肢をユーザに提供する（無線ネットワーク状態情報、調整結果情報のうちの１つか複数のメッセージを表示してもいい）。ユーザが「ＹＥＳ」を選択すると、携帯電話から無線ルータに調整許可指令を送信し、続けてステップＳ２０４を実行する一方、ユーザが「ＮＯ」を選択すると、携帯電話から無線ルータに調整拒否指令を送信し、続けてステップＳ２０５を実行する。
【００２８】
ステップＳ２０４において、無線ルータは、携帯電話から調整許可指令を受信すると、現在使用中の第１チャネルを第２チャネルに切替え、無線ネットワークの接続を新たに確立する。
ステップＳ２０５において、無線ルータは、携帯電話から調整拒否指令を受信すると、現在のチャネルを維持する。
本実施の形態１は、無線ネットワークを調整するか否かをユーザに丁寧に注意させ、ユーザの意向に応じて無線ネットワークを調整するか否かを決定し、ユーザの使用体験を向上させることができる。
【００２９】
（実施の形態２）
本実施の形態２において、無線ルータは、本発明の実施の形態による上記方法を利用して信号強度を調整し、図３に示すように、以下のステップを含む。
ステップＳ３０１において、無線ルータは、携帯電話の信号強度が所定信号強度より低いか否かをモニタリングする。低い場合、続けてステップＳ３０２を実行するが、さもなければ、現在の無線ネットワークを維持する。
ステップＳ３０２において、携帯電話の信号強度が所定信号強度より低い場合、無線ルータは、無線ネットワークの調整に同意するか否かを問い合わせるための調整プロンプトを携帯電話に送信する。
上記調整プロンプトは、無線ネットワーク状態情報、調整結果情報のうちの１つか複数のメッセージをさらに含んでもいい。
【００３０】
ステップＳ３０３において、携帯電話は、ユーザに「無線ネットワークの調整に同意しますか」のような調整プロンプトを表示するとともに、「ＹＥＳ」及び「ＮＯ」の２つの選択肢をユーザに提供する（無線ネットワーク状態情報、調整結果情報のうちの１つか複数のメッセージを表示してもいい）。ユーザが「ＹＥＳ」を選択すると、携帯電話から無線ルータに調整許可指令を送信し、続けてステップＳ３０４を実行する一方、ユーザが「ＮＯ」を選択すると、携帯電話から無線ルータに調整拒否指令を送信し、続けてステップＳ３０５を実行する。
【００３１】
ステップＳ３０４において、無線ルータは、携帯電話から調整許可指令を受信すると、ネットワーク発信信号強度を所定値まで高く調整する。
ステップＳ３０５において、無線ルータは、携帯電話から調整拒否指令を受信すると、現在の無線ネットワークを維持する。
本実施の形態２は、無線ネットワークを調整するか否かをユーザに丁寧に注意させ、ユーザの意向に応じて無線ネットワークを調整するか否かを決定し、ユーザの使用体験を向上させることができる。
【００３２】
（実施の形態３）
本実施の形態３において、無線ルータは、本発明の実施の形態による上記方法を利用して信号強度を調整し、図４に示すように、以下のステップを含む。
ステップＳ４０１において、無線ルータは、ネットワーク発信信号強度が所在空間に必要な最小のネットワーク発信信号強度より大きいか否かをモニタリングする。大きい場合、続けてステップＳ４０２を実行するが、さもなければ、現在の無線ネットワークを維持する。
ステップＳ４０２において、ネットワーク発信信号強度が所在空間に必要な最小のネットワーク発信信号強度より大きい場合、無線ルータは、無線ネットワークの調整に同意するか否かを問い合わせるための調整プロンプトを携帯電話に送信する。
【００３３】
ステップＳ４０３において、携帯電話は、ユーザに「無線ネットワークの調整に同意しますか」のような調整プロンプトを表示するとともに、「ＹＥＳ」及び「ＮＯ」の２つの選択肢をユーザに提供する（無線ネットワーク状態情報、調整結果情報のうちの１つか複数のメッセージを表示してもいい）。ユーザが「ＹＥＳ」を選択すると、携帯電話から無線ルータに調整許可指令を送信し、続けてステップＳ４０４を実行する一方、ユーザが「ＮＯ」を選択すると、携帯電話から無線ルータに調整拒否指令を送信し、続けてステップＳ４０５を実行する。
【００３４】
ステップＳ４０４において、無線ルータは、携帯電話から調整許可指令を受信すると、最小のネットワーク発信信号強度以上であることを保証するようにネットワーク発信信号強度を低く調整する。
ステップＳ４０５において、無線ルータは、携帯電話から調整拒否指令を受信すると、現在の無線ネットワークを維持する。
本実施の形態３は、無線ネットワークを調整するか否かをユーザに丁寧に注意させ、ユーザの意向に応じて無線ネットワークを調整するか否かを決定し、ユーザの使用体験を向上させることができる。
【００３５】
本発明の実施の形態は、さらに、上記無線ネットワーク調整方法に対応する無線ネットワーク調整装置を提供し、図５に示すように、上記無線ネットワーク調整装置は、
無線ネットワーク状態が無線ネットワーク調整条件を満たすか否かをモニタリングするためのモニタリングモジュール５１と、
上記無線ネットワーク状態が上記無線ネットワーク調整条件を満たす場合、無線ネットワークの調整に同意するか否かを問い合わせるための調整プロンプトを無線端末に送信するための通知モジュール５２と、
上記無線端末から返信した調整許可指令を受信すると、無線ネットワークを調整するための調整モジュール５３と、
上記無線端末から返信した調整拒否指令を受信すると、現在の無線ネットワークを維持するための維持モジュール５４とを含む。
【００３６】
一実施の形態において、図６に示すように、調整モジュール５３は、第１調整サブモジュール６１、或いは第２調整サブモジュール６２、或いは第３調整サブモジュール６３を含む。
第１調整サブモジュール６１は、現在使用中の無線ネットワークのチャネル品質が所定チャネル品質より低くなることを無線ネットワーク調整条件とする場合、無線端末から返信した調整許可指令を受信すると、現在使用中の第１チャネルを第２チャネルに切替え、無線ネットワークの接続を新たに確立する。
【００３７】
第２調整サブモジュール６２は、モニタリングした無線端末の信号強度が所定信号強度より低くなることを無線ネットワーク調整条件とする場合、無線端末から返信した調整許可指令を受信すると、ネットワーク発信信号強度を所定値まで高く調整する。
第３調整サブモジュール６３は、モニタリングしたネットワーク発信信号強度が所在空間に必要な最小のネットワーク発信信号強度より大きいことを無線ネットワーク調整条件とする場合、無線端末から返信した調整許可指令を受信すると、ネットワーク発信信号強度が最小のネットワーク発信信号強度以上であることを保証するようにネットワーク発信信号強度を低く調整する。
上記実施の形態の装置における各モジュールが動作を実行する具体的な形態は、方法に関する実施の形態において詳細に説明したため、ここでは詳細に説明しない。
【００３８】
無線ネットワーク調整装置は、プロセッサと、プロセッサにより実行可能な指令を記憶するためのメモリとを含み、上記プロセッサは、無線ネットワーク状態が無線ネットワーク調整条件を満たすか否かをモニタリングし、上記無線ネットワーク状態が上記無線ネットワーク調整条件を満たす場合、無線ネットワークの調整に同意するか否かを問い合わせるための調整プロンプトを無線端末に送信し、上記無線端末から返信した調整許可指令を受信すると、無線ネットワークを調整し、上記無線端末から返信した調整拒否指令を受信すると、現在の無線ネットワークを維持するように配置される。
【００３９】
上記プロセッサは、さらに、以下のように配置される。上記無線ネットワーク調整条件は、現在使用中の無線ネットワークのチャネル品質が所定チャネル品質より低く、または、モニタリングした無線端末の信号強度が所定信号強度より低く、または、モニタリングしたネットワーク発信信号強度が所在空間に必要な最小ネットワーク発信信号強度より大きいことである。
上記プロセッサは、さらに、以下のように配置される。現在使用中の無線ネットワークのチャネル品質が所定チャネル品質より低くなることを無線ネットワーク調整条件とする場合、上記無線端末から返信した調整許可指令を受信すると、無線ネットワークを調整することは、上記無線端末から返信した調整許可指令を受信すると、現在使用中の第１チャネルを第２チャネルに切替え、無線ネットワークの接続を新たに確立することを含む。
【００４０】
上記プロセッサは、さらに、以下のように配置される。モニタリングした無線端末の信号強度が所定信号強度より低くなることを無線ネットワーク調整条件とする場合、上記無線端末から返信した調整許可指令を受信すると、無線ネットワークを調整することは、上記無線端末から返信した調整許可指令を受信すると、ネットワーク発信信号強度を所定値まで高く調整することを含む。
上記プロセッサは、さらに、以下のように配置される。モニタリングしたネットワーク発信信号強度が所在空間に必要な最小のネットワーク発信信号強度より大きいことを無線ネットワーク調整条件とする場合、上記無線端末から返信した調整許可指令を受信すると、無線ネットワークを調整することは、上記無線端末から返信した調整許可指令を受信すると、ネットワーク発信信号強度が上記最小のネットワーク発信信号強度以上であることを保証するようにネットワーク発信信号強度を低く調整することを含む。
上記プロセッサは、さらに、以下のように配置される。上記調整プロンプトは、無線ネットワーク状態情報及び／又は調整結果情報をさらに含む。
【００４１】
非一時的なコンピュータで読み取り可能な記憶媒体は、当該記録媒体中の指令が無線ルータのプロセッサによって実行される際に、無線ルータに無線ネットワーク調整方法を実行させることができる。当該無線ネットワーク調整方法は、無線ネットワーク状態が無線ネットワーク調整条件を満たすか否かをモニタリングするステップと、上記無線ネットワーク状態が上記無線ネットワーク調整条件を満たす場合、無線ネットワークの調整に同意するか否かを問い合わせるための調整プロンプトを無線端末に送信するステップと、上記無線端末から返信した調整許可指令を受信すると、無線ネットワークを調整するステップと、上記無線端末から返信した調整拒否指令を受信すると、現在の無線ネットワークを維持するステップとを含む。
【００４２】
一実施の形態において、上記無線ネットワーク調整条件は、現在使用中の無線ネットワークのチャネル品質が所定チャネル品質より低く、または、モニタリングした無線端末の信号強度が所定信号強度より低く、または、モニタリングしたネットワーク発信信号強度が所在空間に必要な最小ネットワーク発信信号強度より大きいことを含む。
一実施の形態において、現在使用中の無線ネットワークのチャネル品質が所定チャネル品質より低いことを無線ネットワーク調整条件とする場合、上記無線端末から返信した調整許可指令を受信すると、無線ネットワークを調整するステップは、上記無線端末から返信した調整許可指令を受信すると、現在使用中の第１チャネルを第２チャネルに切替え、無線ネットワークの接続を新たに確立するステップを含む。
【００４３】
一実施の形態において、モニタリングした無線端末の信号強度が所定信号強度より低いことを無線ネットワーク調整条件とする場合、上記無線端末から返信した調整許可指令を受信すると、無線ネットワークを調整するステップは、上記無線端末から返信した調整許可指令を受信すると、ネットワーク発信信号強度を所定値まで高く調整するステップを含む。
一実施の形態において、モニタリングしたネットワーク発信信号強度が所在空間に必要な最小のネットワーク発信信号強度より大きいことを無線ネットワーク調整条件とする場合、上記無線端末から返信した調整許可指令を受信すると、無線ネットワークを調整するステップは、上記無線端末から返信した調整許可指令を受信すると、ネットワーク発信信号強度が上記最小のネットワーク発信信号強度以上であることを保証するようにネットワーク発信信号強度を低く調整するステップを含む。
一実施の形態において、上記調整プロンプトは、無線ネットワーク状態情報及び／又は調整結果情報をさらに含むことができる。
【００４４】
当業者は、本明細書に開示された発明の詳細を考慮し、実施することにより、本発明の他の実施方案を容易に想定することができる。本出願は、本発明のいかなる変形、用途、又は適切な変化を含むことを目的としており、いかなる変形、用途、又は適切な変化は、本発明の一般原理に基づき、且つ本開示において公開されていない本技術分野においての公知常識又は慣用技術手段を含む。明細書及び実施の形態は、例示的なものを開示しており、本発明の保護範囲と主旨は、特許請求の範囲に記述される。
本発明は、上記において開示された構成又は図面に示した構造に限定されるものではなく、本発明の範囲内であれば、様々な補正又は変更を行うことができる。本発明の範囲は、特許請求の範囲により制限される。
本願は、出願番号がＣＮ２０１４１０４０９３７８．７であって、出願日が２０１４年８月１９日である中国特許出願に基づき優先権を主張し、当該中国特許出願のすべての内容を本願に援用する。
【手続補正２】
【補正対象書類名】特許請求の範囲
【補正対象項目名】全文
【補正方法】変更
【補正の内容】
【特許請求の範囲】
【請求項１】
無線ルータに用いられる無線ネットワーク調整方法において、
無線ネットワーク状態が無線ネットワーク調整条件を満たすか否かをモニタリングするステップと、
上記無線ネットワーク状態が上記無線ネットワーク調整条件を満たす場合、無線ネットワークの調整に同意するか否かを問い合わせるための調整プロンプトを無線端末に送信するステップと、
上記無線端末から返信した調整許可指令を受信すると、無線ネットワークを調整するステップと、
上記無線端末から返信した調整拒否指令を受信すると、現在の無線ネットワークを維持するステップと、
を含むことを特徴とする無線ネットワーク調整方法。
【請求項２】
上記無線ネットワーク調整条件は、
現在使用中の無線ネットワークのチャネル品質が所定チャネル品質より低いこと、または、
モニタリングした無線端末の信号強度が所定信号強度より低いこと、または、
モニタリングしたネットワーク発信信号強度が所在空間に必要な最小のネットワーク発信信号強度より大きいこと、
を含むことを特徴とする請求項１に記載の無線ネットワーク調整方法。
【請求項３】
現在使用中の無線ネットワークのチャネル品質が所定チャネル品質より低いことを上記無線ネットワーク調整条件とする場合、上記無線端末から返信した調整許可指令を受信すると、無線ネットワークを調整するステップは、
上記無線端末から返信した調整許可指令を受信すると、現在使用中の第１チャネルを第２チャネルに切替え、無線ネットワークの接続を新たに確立するステップ
を含むことを特徴とする請求項２に記載の無線ネットワーク調整方法。
【請求項４】
モニタリングした無線端末の信号強度が所定信号強度より低いことを上記無線ネットワーク調整条件とする場合、上記無線端末から返信した調整許可指令を受信すると、無線ネットワークを調整するステップは、
上記無線端末から返信した調整許可指令を受信すると、ネットワーク発信信号強度を所定値まで高く調整するステップ
を含むことを特徴とする請求項２に記載の無線ネットワーク調整方法。
【請求項５】
モニタリングしたネットワーク発信信号強度が所在空間に必要な最小のネットワーク発信信号強度より大きいことを上記無線ネットワーク調整条件とする場合、上記無線端末から返信した調整許可指令を受信すると、無線ネットワークを調整するステップは、
上記無線端末から返信した調整許可指令を受信すると、ネットワーク発信信号強度が上記最小のネットワーク発信信号強度以上であることを保証するようにネットワーク発信信号強度を低く調整するステップ
を含むことを特徴とする請求項２に記載の無線ネットワーク調整方法。
【請求項６】
上記調整プロンプトは、さらに、無線ネットワーク状態情報及び／又は調整結果情報を含むことを特徴とする請求項１〜５のいずれか一項に記載の無線ネットワーク調整方法。
【請求項７】
無線ネットワーク状態が無線ネットワーク調整条件を満たすか否かをモニタリングするためのモニタリングモジュールと、
上記無線ネットワーク状態が上記無線ネットワーク調整条件を満たす場合、無線ネットワークの調整に同意するか否かを問い合わせるための調整プロンプトを無線端末に送信するための通知モジュールと、
上記無線端末から返信した調整許可指令を受信すると、無線ネットワークを調整するための調整モジュールと、
上記無線端末から返信した調整拒否指令を受信すると、現在の無線ネットワークを維持するための維持モジュールと
を含むことを特徴とする無線ネットワーク調整装置。
【請求項８】
上記調整モジュールは、
現在使用中の無線ネットワークのチャネル品質が所定チャネル品質より低いことを上記無線ネットワーク調整条件とする場合、上記無線端末から返信した調整許可指令を受信すると、現在使用中の第１チャネルを第２チャネルに切替え、無線ネットワークの接続を新たに確立するための第１調整サブモジュール
を含むことを特徴とする請求項７に記載の無線ネットワーク調整装置。
【請求項９】
上記調整モジュールは、
モニタリングした無線端末の信号強度が所定信号強度より低いことを上記無線ネットワーク調整条件とする場合、上記無線端末から返信した調整許可指令を受信すると、ネットワーク発信信号強度を所定値まで高く調整するための第２調整サブモジュール
を含むことを特徴とする請求項７に記載の無線ネットワーク調整装置。
【請求項１０】
上記調整モジュールは、
モニタリングしたネットワーク発信信号強度が所在空間に必要の最小のネットワーク発信信号強度より大きいことを上記無線ネットワーク調整条件とする場合、上記無線端末から返信した調整許可指令を受信すると、ネットワーク発信信号強度が上記最小のネットワーク発信信号強度以上であることを保証するようにネットワーク発信信号強度を低く調整するための第３調整サブモジュール
を含むことを特徴とする請求項７に記載の無線ネットワーク調整装置。
【請求項１１】
プロセッサと、
プロセッサにより実行可能な指令を記憶するためのメモリとを含み、
上記プロセッサは、
無線ネットワーク状態が無線ネットワーク調整条件を満たすか否かモニタリングし、
上記無線ネットワーク状態が上記無線ネットワーク調整条件を満たす場合、無線ネットワークの調整に同意するか否かを問い合わせるための調整プロンプトを無線端末に送信し、
上記無線端末から返信した調整許可指令を受信すると、無線ネットワークを調整し、
上記無線端末から返信した調整拒否指令を受信すると、現在の無線ネットワークを維持する
ことを特徴とする無線ネットワーク調整装置。
【請求項１２】
プロセッサに実行されることにより、請求項１〜６のいずれか１項に記載の無線ネットワーク調整方法を実現することを特徴とするプログラム。
【請求項１３】
請求項１２に記載のプログラムが記録された記録媒体。
【国際調査報告】
2016535551.tif 000009
2016535551.tif 000010
2016535551.tif 000011
2016535551.tif 000012